(57)【要約】【課題】  この発明は、消波構造体などの洗掘を防止することを目的としたものである。【解決手段】  この発明は、強靭な材料により構成した格子網又は格子かごの底部に強靭なシート類を張設固定し、前記格子網又は格子かごの一側に、連結用ヒンジを連結したことを特徴とする消波構造物の洗掘防止用材により目的を達成した。【選択図】  図１
2006207210.tif 000002
【特許請求の範囲】
【請求項１】
強靭な材料により構成した格子網又は格子かごの底部に強靭なシート類を張設固定し、前記格子網又は格子かごの一側に、連結用ヒンジを連結したことを特徴とする消波構造物の洗掘防止用材。
【請求項２】
シート類は、薄鋼板、帆布、ゴム又は合成樹脂シート又はマットとしたことを特徴とする請求項１記載の消波構造物の洗掘防止用材。
【請求項３】
強靭な材料により構成した格子網又は格子かごの外周の全部又は一部に請求項１記載の洗掘防止用材を回動自在に連結したことを特徴とする消波資材の収容装置。
【請求項４】
海岸地盤上へ設置した請求項３記載の消波資材の収容装置内へ、石材又はコンクリートブロックの一方又は両方を収容固定したことを特徴とする消波構造物。
【請求項５】
海岸の消波構造物を設置しようとする地盤上へ、請求項３記載の消波資材の収容装置を設置した後、前記収容装置内へ石材又はコンクリートブロックの一方又は両方を順次積み上げて一体的構造体を構築することを特徴とした消波構造物の構築方法。
【発明の詳細な説明】
【技術分野】
【０００１】
この発明は、消波構造物又は護岸における洗掘を防止することを目的とした消波構造物の洗掘防止用材と消波構造物及びその構築方法並びに消波資材の収容装置に関する。
【背景技術】
【０００２】
従来砂地盤上に直接大割石を投入し、法先の傾斜を緩くして石を積み上げて基礎を作り、その上に大型のブロックやケーソン等を据付けて消波堤や防波堤等の消波構造物を築造していたが、法先が洗掘されて石が散乱し、遂には上部のブロックやケーソンまでも、移動又は転倒などの被害が起きている。
【０００３】
これを少しでも防止しようとして、捨て石の法先下にシートやマット類の端部に錘りをつけて設置する方法もあるが、これは一時的なものであって、波浪が長時間にわたって作用すると、めくれ上がったり、破れてバラバラになり、その効果が喪失してしまう欠点があった。
【０００４】
従来の実施例を図４（ａ）、（ｂ）により説明すると、海中の支持地盤１２上へ、石材又はコンクリートブロックを投入して、捨て石基礎１３を構築し、該捨て石基礎１３の上部へケーソン１４を設置して堤体２０を構築した。
【０００５】
前記捨て石基礎１３とケーソン１４との関係は、波１６の山１６ａが海側にある場合に、下降波は矢示１７のように下降して矢示１８のように分散する。
【０００６】
一方波１６の山１６ｂが、陸側にある場合に（図４（ｂ））、下降波は、矢示１９のように下降し、２１のように分散する。
【０００７】
前記のように、波の山が、ケーソン１４に対して、海側にあっても、陸側にあっても、波の方向は常時捨て石基礎１３上にかかる為に、洗掘を受けるおそれはない。換言すれば、捨て石基礎１３とケーソン１４との位置関係を常時図４（ａ）、（ｂ）のようにしておく必要がある。
【０００８】
従来文献上知られている護岸等の洗掘防止としては、護岸に下降流を阻止するフィンを設置した考案、又は先端上面にウェイトを着脱自在に取り付けた洗掘防止シートをコルゲートセル等の基端部へ着脱自在に取り付けた発明などが知られている。
【特許文献１】特公昭４５−３５６２７
【特許文献２】特公昭６３−３０４４４
【特許文献３】特開２００３−２２１８１７
【発明の開示】
【発明が解決しようとする課題】
【０００９】
引用文献１の発明は、構造物の底部に可撓性シートを敷設するもので、石材、コンクリートブロックなどを一体的に保持することができない問題点がある。
【００１０】
引用文献２の発明は、コルゲートセルなどの先端部に、可撓性材料よりなる洗掘防止シートを敷設することを有する発明である。
【００１１】
引用文献３は、石積み部の下部先端に、孔あきマットを連結した構造を要旨としている。
【００１２】
前記特許文献１〜３は、何れも洗掘部をシート等で覆う発明であって、強度、耐久性などに関し、用材、設置構造及び全体の形状等に考慮を要する問題点があった。
【００１３】
消波構造物の基礎の洗掘は、直接波浪によるものの他に、構造物の前後で波が上下することにより、波の頂部（山）と底部（谷）の水位差により、山から谷に向かって水の流れが生ずる（パイピング現象）。このとき砂が吹き上げられたり、吸い出されたりするが、このために石材やコンクリートブロックがバラバラになることが最近の実験で分かってきた。図４（ａ）（ｂ）は、パイピング現象を説明するものである。矢示１７は波の山から谷に向かって水の流れができる道を示すもので、その先は矢示１８のように潜ったり、矢示のように上に捨石下の砂が吹き上げられたり吸い出されたりして、この時に石が沈下したり、石が飛ばされる。
【課題を解決するための手段】
【００１４】
この発明は、洗掘防止用材を開発し、強度を増強すると共に、その設置に工夫を加えて、前記従来の問題点を解決したのである。
【００１５】
即ち用材の発明は、強靭な材料により構成した格子網又は格子かごの底部に強靭なシート類を張設固定し、前記格子網又は格子かごの一側に、連結用ヒンジを連結したことを特徴とする消波構造物の洗掘防止用材であり、シート類は、薄鋼板、帆布、ゴム又は合成樹脂シート又はマットとしたものである。
【００１６】
また装置の発明は、強靭な材料により構成した格子網又は格子かごの外周の全部又は一部に請求項１記載の洗掘防止用材を回動自在に連結したことを特徴とする消波資材の収容装置である。
【００１７】
次に消波構造物の発明は、海洋地盤上へ設置した請求項３記載の消波資材の収容装置内へ、石材又はコンクリートブロックの一方又は両方を収容固定したことを特徴とする消波構造物である。
【００１８】
更に方法の発明は、海岸の消波構造物を設置しようとする地盤上へ、請求項３記載の消波資材の収容装置を設置した後、前記収容装置内へ石材又はコンクリートブロックの一方又は両方を順次積み上げて一体的構造体を構築することを特徴とした消波構造物の構築方法である。
【００１９】
この発明において、用材として格子網又は格子かごに強靭なシート類を張設したので、骨格が強固であり、永年の使用に耐え得ると共に、地盤上に設置した格子かごにヒンジ結合してあるので、洗掘に追随してその表面を覆い、洗掘の進行を有効に阻止することができる。
【００２０】
この発明により用いる格子網又は格子かごは、発明者が開発後十数年改良を重ねたもので、我が国で最も波浪の衝撃が大きいとされる北海道各地の護岸工事に使用され、その耐久性は実証済（現に健在）であり、十分信頼することができる。
【００２１】
然して洗掘を受けて、洗掘防止用材が傾斜安定してからは、強度の外力を生じるおそれはないので、前記用材が腐蝕して分解する迄（例えば１００年間）は洗掘の進行を防止することができる。
【００２２】
従来格子かごを使用した消波構造体においても、海側に面した格子かごが洗掘によって傾斜することにより、洗掘の進行をある程度阻止することが見受けられ、現存の消波構造物は、堅固に残存しているが、この発明は、洗掘防止について更なる改良を加えたものである。
【発明の効果】
【００２３】
この発明は、消波構造体を支える格子網又は格子かごの海側に、シート類を張った格子網又は格子かごの用材をヒンジ連結したので、洗掘の進行に伴って前記用材が自動的に傾動して、洗掘を防止する効果がある。
【００２４】
また用材の傾斜につれて波浪の洗掘力も逐次小さくなるので、遂には洗掘の進行を自動的に完全阻止し得る効果がある。
【発明を実施するための最良の形態】
【００２５】
この発明は、鋼材よりなる格子状底板の四周に、鋼材よりなる格子状側板を直立設置して格子かごを構成する。前記格子かご底の海側縁部へ、チェインにより洗掘防止用材の一側を回動自在に取り付ける。前記洗掘防止用材は、鋼材よりなる格子網の底面に薄鋼板を張設して構成してある。
【００２６】
次に消波構造体を設置すべき地盤上へ、前記格子かごを載置して、その内側へ石材又はコンクリートブロックを積層して、消波構造物を構築する。
【実施例１】
【００２７】
この発明の実施例を図１（ａ）、（ｂ）について説明すれば、鋼材１、２を縦横に並べて格子底３を構成し、その四周に側板４を立設して格子かご５を構成した。
【００２８】
前記格子かご５の一側へ洗掘防止用材６の一側をチェイン７を介して回動可能に連結したものである。前記洗掘防止用材は鋼線６で編成した格子網８の上面又は下面へ、薄鋼板９（例えば厚さ３ｍｍ）又はシート或いはマットレスを被着して洗掘防止用材１０を構成するが、前記薄鋼板９を格子網８の上下面へ被着することもあり得る。
【実施例２】
【００２９】
この発明により消波構造物を構築する場合の実施例を図２、３について説明すると、鋼線６で格子網８を構成し、その下面に薄鋼板９を張設して洗掘防止用材を得た。
【００３０】
一方鋼材で格子かごを構成し、この格子かごの一側に、前記洗掘防止用材の一側を連結する。
【００３１】
前記格子かご５に石材１１又はコンクリートブロック（又はその両方）を格子かごに入れて積み上げ、消波構造体１５とする。
【図面の簡単な説明】
【００３２】
【図１】（ａ）この発明の洗掘防止用材を連結した格子かごの拡大平面図、（ｂ）同じく拡大正面図、（ｃ）同じく洗掘防止用材の一部拡大正面図。
【図２】同じく消波構造体を構築する実施例のブロック図。
【図３】（ａ）同じく消波構造体の設置時の概念図、（ｂ）同じく洗掘を受けた場合の概念図、（ｃ）同じく連結部の一部拡大平面図。
【図４】（ａ）従来の施工例で海側に波山がある場合の概念図、（ｂ）同じく陸側に波山がある場合の概念図。
【符号の説明】
【００３３】
１、２  鋼材
３  格子底
４  側板
５  格子かご
６  鋼線
７  チェイン
８  格子網
９  薄鋼板
１０  洗掘防止用材
１１  石材
１２  支持地盤
１３  捨て石基礎
１４  ケーソン
１５  消波構造体
２０  堤体
【図１】
2006207210.tif 000003
【図２】
2006207210.tif 000004
【図３】
2006207210.tif 000005
【図４】
2006207210.tif 000006